【事件の表示】
　特願２００２−１８１１２３「検索システム及び検索方法並びに検索方法実行のためのコンピュータプログラム及びその記録媒体」拒絶査定不服審判事件〔平成１６年　１月２９日出願公開、特開２００４−　２９９０１〕について、次のとおり審決する。
【結　論】
　本件審判の請求は、成り立たない。
【理　由】
　
第１　手続の経緯
　本願は、平成１４年６月２１日の出願であって、平成１８年５月２３日付で拒絶査定がなされ（発送日同年５月２６日）、これに対し、同年６月２３日に拒絶査定不服審判の請求がなされたものである。
　
　
第２　本願発明について 
　
１．本願発明
　本願の請求項１乃至６に係る発明は、平成１８年４月２５日付けの手続補正によって補正された明細書及び図面の記載からみて、特許請求の範囲の請求項１乃至６に記載されたとおりのものと認められるところ、その請求項１に係る発明（以下、「本願発明」という。）は、次のとおりのものである。
　
「【請求項１】　あらかじめ情報が記憶されているデータベースと、
　ユーザからの所定の入力情報を受け付ける入力手段と、
　前記入力情報に基づき前記データベースを検索して関連情報を抽出するためのデータベース検索手段と、
　通信ネットワークに接続して情報の送受信を行うための情報送受信手段と、
　前記入力情報に基づき前記情報送受信手段を用いてネット情報検索サイトに接続し、関連情報の検索を行い、前記検索の結果である検索結果情報を受信するためのネット情報検索手段と、
　前記入力手段により受け付けた入力情報の検索を行う際、前記ユーザの所望により、前記データベース検索手段と、前記ネット情報検索手段とのいずれかを選択する選択手段と、
　前記選択手段の選択に従って、前記データベース検索手段により得られた前記関連情報又は前記ネット情報検索手段により得られた検索結果情報を表示するための情報表示手段とを、
　有する検索システム。」 
　　
　
　　
 ２．引用例
　　
（１）原査定の拒絶の理由に引用された、特開２００１−３０４８７４号公報（以下、「引用例１」という。）には、次の事項が記載されている。
　　
（ア）
「　　【０００１】
　　【発明の属する技術分野】
　本発明は、サーバ通信型ナビゲーションシステムを構成する移動体装置及びサーバ装置並びに目的地情報データベースを記録した媒体及び目的地情報プログラムを記録した媒体に係り、特に、移動体装置がサーバ装置の情報を利用して目的地の設定を行うサーバ通信型ナビゲーションシステムの移動体装置及びサーバ装置等に関する。」
　
（イ）
「　　【０００６】
　　【発明が解決しようとする課題】
　しかしながら、上記従来例にあっては次の問題があった。まず、ＣＤＲＯＭやＤＶＤＲＯＭに格納された施設データのデータベースは固定的である。時間と共に現実の施設の存続や電話番号等の変更があってもデータベースを更新することができず、古いデータで我慢するか新しいＣＤＲＯＭ等を購入する必要があり不経済であった。広告情報等も同様であった。
　　　【０００７】
　これに対し、ナビゲーションシステムを無線通信によるクライアント・サーバ方式とし、必要なデータベースをサーバ側で管理することが考えられる。しかし、サーバ側の施設データベースを常時最新のデータに保つためには、それだけの人的労力を必要とし、人件費が嵩む問題があった。
　　　【０００８】
　また、ナビゲーションに必要なデータベースをサーバに蓄積した場合は、移動体に装備されたクライアントから常にサーバに接続しなければならず、通信コストが不経済であった。かつ、サーバから検索結果の応答があるまでに比較的時間を要し迅速性に欠ける場合があった。」
　
（ウ）
「　　【００２５】
　　【発明の実施の形態】
　以下、本発明の一実施形態を説明する。
　　　【００２６】
　　［システム構成］
　　　【００２７】
　図１は、本発明にかかるサーバ通信型ナビゲーションシステムの全体構成図である。車両１０に搭載されたカーナビゲーション装置（カーナビ）１０は、携帯電話やＰＨＳ等の無線通信機１０ａに接続されている。無線通信機１０ａと連絡する無線電話網の基地局３０は、電話網４０に接続している。
　　　【００２８】
　一方、カーナビ１０と連絡する専用サーバ２０は、モデム等の通信装置２０ａを介して電話網４０に接続すると共に、インターネット回線（専用線）を介して様々なインターネット情報（Ｗｅｂページ）５０にアクセスできるようになっている。」
　
（エ）
「　　【００２９】
　　［カーナビの構成］
　　　【００３０】
　図２は、カーナビ１０の構成図である。制御手段１１には、入力手段１２、表示手段１３、ＧＰＳ受信機１４、記憶手段１５が併設されている。
　　　【００３１】
　制御手段１１は、ＣＰＵのプログラム処理によりカーナビとしての機能を実現する。また、制御手段１１は周辺装置と連絡するインターフェースを備えている。入力手段１１は、制御手段１１との赤外線通信により、検索メニューの選択、文字や数値の入力が可能なリモコンである。表示手段１３は、制御手段１１がビデオＲＡＭに構成した表示データを表示する液晶ディスプレイやヘッドアップディスプレイ等である。ＧＰＳ受信機１４は、ＧＰＳ衛星からの信号に基づいて車両１００の現在地を検出し制御手段１１に入力する。記憶手段１５は、ＲＡＭ、ＲＯＭ、ＣＤＲＯＭ等から構成され、従来例で説明した検索メニュー構成５１と、施設データベース５３と、これらのデータリンク５２とを格納している。また、記憶手段１５にはカーナビの機能に必要な他のデータベースも格納されている（図示略）。」
　
（オ）
「　　【００３２】
　　［専用サーバの構成］
　　　【００３３】
　次に、図３は専用サーバ２０の構成図である。情報処理手段２１には、インターネット回線に接続する通信装置２０ｂと、記憶手段２２とが併設されている。インターネット回線への通信手段２０ｂは、ＤＳＵ内蔵ルータ等である。情報処理手段２１は、ＣＰＵのプログラム処理によりカーナビ１０との連絡及び記憶手段２２に対する情報検索を実行する。記憶手段２２は、ＲＡＭ，ＲＯＭ，ＨＤＤ等から構成されている。この記憶手段２２には、カーナビ１０の検索メニュー構成５１と同一構造のＷｅｂ検索用インデックス構造２３が格納されている。このＷｅｂ検索用インデックス構造２３は、データリンク２７によってＷｅｂアドレスデータベース２４にリンクされている。Ｗｅｂアドレスデータベース２４には、多数のＷｅｂページのＵＲＬが格納されている。また、Ｗｅｂアドレスデータベース２４はデータリンク２８を介して施設データベース２５にリンクされている。この施設データベース２５は、カーナビ１０に格納された施設データベースと同一の施設データを管理している。また、Ｗｅｂアドレスデータベース２４は、データリンク２９を介して座標データベース２６にリンクされている。この座標データベース２６は、Ｗｅｂアドレスが指標するＷｅｂページに紹介された施設の地上における平面座標（ＸＹ座標）を格納したものである。」
　
（カ）
「　　【００４０】
　カーナビ１０のユーザは、表示手段１３に表示された検索メニュー５１を選択する（Ｓ１）。選択は、入力手段１２により行う。
　　　【００４１】
　まず、検索方法を指定する（Ｓ２）。即ち、検索メニュー構成５１の５０音検索、電話番号検索、又はジャンル検索を選択する。」
　
（キ）
「　　【００４２】
　次に、検索条件を入力する（Ｓ３）。即ち、５０音検索であれば施設名称をなす５０音の全部又は前方の一部の文字を入力する。電話番号検索であれば、電話番号の全部又は前方の一部を入力する。ジャンル検索であればジャンルを指定する。」
　
（ク）
「　　【００４３】
　制御手段１１は、入力された検索条件にリンクされた施設データを施設データベース５３から検索する（Ｓ４，Ｓ５）。」
　
（ケ）
「　　【００４４】
　該当データがあれば、当該施設データの施設名称、電話番号、住所等を通信検索のキーワードに設定する（Ｓ６）。一方、該当データがなければＳ３で入力した検索条件を通信検索のキーワードに設定する（Ｓ７）。」
　
（コ）
「　　【００４５】
　そして、制御手段１１は、通信検索をするかどうかをユーザに問う（Ｓ８）。この問い合わせは、表示手段１３により行われる。ユーザは、通信検索の希望を入力手段１２から入力する。」
　
（サ）
「　　【００４７】
　一方、ユーザの答えが通信検索を希望する場合はＳ６，Ｓ７で設定した通信検索のキーワードを専用サーバ２０に送信する（Ｓ１２）。送信は、通信機１０ａ、電話網４０、及びサーバ側の通信装置２０ａを介して行う。」
　
（シ）
「　　【００４８】
　専用サーバ２０は、通信検索のキーワードに該当するＷｅｂアドレスの存在を検索する。存在する場合は、そのＷｅｂアドレス又は当該Ｗｅｂアドレスが指標するＷｅｂページの表示データをカーナビ１０に返信する。サーバ側の処理は後ほど詳述する。」
　
（ス）
「　　【００４９】
　制御手段１１は、専用サーバ２０における検索の結果として、該当データがあるという結果を得た場合は、そのＷｅｂアドレスの一覧又は当該Ｗｅｂアドレスが指標するＷｅｂページの表示データを専用サーバ２０から受信し、表示手段１３に表示する（Ｓ１５）。専用サーバ２０の検索において、該当するＷｅｂアドレスが複数検索された場合は、まず検索されたＷｅｂアドレスの一覧を表示手段１３に表示し、そのうちの一つをユーザに選択させる。選択は入力手段１２から行う。そして、選択されたＷｅｂアドレスの情報を専用サーバ２０に送り、専用サーバ２０が送り返してきた当該Ｗｅｂアドレスが指標するＷｅｂページの表示データを受信し、当該Ｗｅｂページを表示手段１３に表示する。一方、専用サーバで検索されたＷｅｂアドレスが始めから一つに絞られた場合は、専用サーバ２０から当該Ｗｅｂアドレスが指標するＷｅｂページの表示データをカーナビ１０に送信し、制御手段１１は当該Ｗｅｂページを表示手段１３に表示させる。」　
　
　
　以上の引用例１の記載によれば、引用例１には以下の事項が開示されていると認められる。
　
（ａ）引用例１の上記（エ）の「記憶手段１５は、ＲＡＭ、ＲＯＭ、ＣＤＲＯＭ等から構成され、従来例で説明した検索メニュー構成５１と、施設データベース５３と、これらのデータリンク５２とを格納している。」という記載、
　引用例１の上記（ク）の「制御手段１１は、入力された検索条件にリンクされた施設データを施設データベース５３から検索する（Ｓ４，Ｓ５）。」という記載（なお、「施設データを施設データベース５３から検索する（Ｓ４，Ｓ５）」ことができるようにするためには、「施設データベース」に検索対象となる「施設データ」をあらかじめ記憶しておく必要があることは自明である。）から、
　引用例１には「あらかじめ施設データが記憶されている施設データベース」が開示されていると認められる。
　
（ｂ）引用例１の上記（エ）の「入力手段１１は、制御手段１１との赤外線通信により、検索メニューの選択、文字や数値の入力が可能なリモコンである。」という記載、
　引用例１の上記（カ）の「カーナビ１０のユーザは、表示手段１３に表示された検索メニュー５１を選択する（Ｓ１）。選択は、入力手段１２により行う。」という記載から、ユーザが入力手段を用いることが開示されていること、
　引用例１の上記（キ）の「次に、検索条件を入力する（Ｓ３）。」という記載（なお、入力手段を用いて検索条件を入力していることは自明である。）から、
　引用例１には「ユーザからの所定の検索条件を受け付ける入力手段」が開示されていると認められる。
　
（ｃ）上記（ａ）の「あらかじめ施設データが記憶されている施設データベース」という開示、
　上記（ｂ）の「ユーザからの所定の検索条件を受け付ける入力手段」という開示、
　引用例１の上記（キ）の「次に、検索条件を入力する（Ｓ３）。即ち、５０音検索であれば施設名称をなす５０音の全部又は前方の一部の文字を入力する。電話番号検索であれば、電話番号の全部又は前方の一部を入力する。ジャンル検索であればジャンルを指定する。」という記載、
　引用例１の上記（ク）の「制御手段１１は、入力された検索条件にリンクされた施設データを施設データベース５３から検索する（Ｓ４，Ｓ５）。」という記載から、
　引用例１には、「前記検索条件に基づき前記施設データベースを検索して施設データを抽出するための制御手段」が開示されていると認められる。
　
（ｄ）引用例１の上記（ウ）の「車両１０に搭載されたカーナビゲーション装置（カーナビ）１０は、携帯電話やＰＨＳ等の無線通信機１０ａに接続されている。無線通信機１０ａと連絡する無線電話網の基地局３０は、電話網４０に接続している。」という記載、
　引用例１の上記（サ）の「一方、ユーザの答えが通信検索を希望する場合はＳ６，Ｓ７で設定した通信検索のキーワードを専用サーバ２０に送信する（Ｓ１２）。送信は、通信機１０ａ、電話網４０、及びサーバ側の通信装置２０ａを介して行う。」という記載、
　引用例１の上記（シ）の「専用サーバ２０は、通信検索のキーワードに該当するＷｅｂアドレスの存在を検索する。存在する場合は、そのＷｅｂアドレス又は当該Ｗｅｂアドレスが指標するＷｅｂページの表示データをカーナビ１０に返信する。」という記載から、
　引用例１には「電話網に接続して情報の送受信を行うための通信機」が開示されていると認められる。
　
（ｅ）引用例１の上記（ク）の「制御手段１１は、入力された検索条件にリンクされた施設データを施設データベース５３から検索する（Ｓ４，Ｓ５）。」という記載、
　引用例１の上記（ケ）の「一方、該当データがなければＳ３で入力した検索条件を通信検索のキーワードに設定する（Ｓ７）。」という記載、
　引用例１の上記（サ）の「一方、ユーザの答えが通信検索を希望する場合はＳ６，Ｓ７で設定した通信検索のキーワードを専用サーバ２０に送信する（Ｓ１２）。送信は、通信機１０ａ、電話網４０、及びサーバ側の通信装置２０ａを介して行う。」という記載、
　引用例１の上記（シ）の「専用サーバ２０は、通信検索のキーワードに該当するＷｅｂアドレスの存在を検索する。存在する場合は、そのＷｅｂアドレス又は当該Ｗｅｂアドレスが指標するＷｅｂページの表示データをカーナビ１０に返信する。」という記載、
　引用例１の上記（ス）の「制御手段１１は、専用サーバ２０における検索の結果として、該当データがあるという結果を得た場合は、そのＷｅｂアドレスの一覧又は当該Ｗｅｂアドレスが指標するＷｅｂページの表示データを専用サーバ２０から受信し、表示手段１３に表示する（Ｓ１５）。」という記載から、
　引用例１には「前記検索条件に基づき前記通信機を用いてＷｅｂ検索可能な専用サーバに接続し、施設データの通信検索を行い、前記検索の結果である表示データを受信するための制御手段」が開示されていると認められる。
　
（ｆ）上記（ｂ）の「ユーザからの所定の検索条件を受け付ける入力手段」という開示、
　上記（ｃ）の「前記検索条件に基づき前記施設データベースを検索して施設データを抽出するための制御手段」という開示、
　上記（ｅ）の「前記検索条件に基づき前記通信機を用いてＷｅｂ検索可能な専用サーバに接続し、施設データの通信検索を行い、前記検索の結果である表示データを受信するための制御手段」という開示、
　引用例１の上記（ク）の「制御手段１１は、入力された検索条件にリンクされた施設データを施設データベース５３から検索する（Ｓ４，Ｓ５）。」という記載から、「制御手段」が施設データベースの検索を自動的に選択することが開示されていること、
　引用例１の上記（ケ）の「一方、該当データがなければＳ３で入力した検索条件を通信検索のキーワードに設定する（Ｓ７）。」という記載、
　引用例１の上記（コ）の「そして、制御手段１１は、通信検索をするかどうかをユーザに問う（Ｓ８）。この問い合わせは、表示手段１３により行われる。ユーザは、通信検索の希望を入力手段１２から入力する。」という記載から、「制御手段」が（検索をするかどうかをユーザに問うものの）通信検索を自動的に選択することが開示されていることから、
　引用例１には「前記入力手段により受け付けた検索条件の検索を行う際、自動的に、制御手段による施設データベースの検索と、制御手段による通信検索とのいずれかを選択する制御手段」が開示されていると認められる。
　
（ｇ）上記（ｃ）の「前記検索条件に基づき前記施設データベースを検索して施設データを抽出するための制御手段」という開示、
　上記（ｅ）の「前記検索条件に基づき前記通信機を用いてＷｅｂ検索可能な専用サーバに接続し、施設データの通信検索を行い、前記検索の結果である表示データを受信するための制御手段」という開示、
　引用例１の上記（エ）の「表示手段１３は、制御手段１１がビデオＲＡＭに構成した表示データを表示する液晶ディスプレイやヘッドアップディスプレイ等である。」という記載、
　引用例１の上記（ス）の「制御手段１１は、専用サーバ２０における検索の結果として、該当データがあるという結果を得た場合は、そのＷｅｂアドレスの一覧又は当該Ｗｅｂアドレスが指標するＷｅｂページの表示データを専用サーバ２０から受信し、表示手段１３に表示する（Ｓ１５）。」という記載から、
　引用例１には「前記制御手段の選択に従って、制御手段から施設データ又は表示データを取得することにより、制御手段によって得られた表示データを表示するための表示手段」が開示されている。
　
（ｈ）上記（ｃ）の「前記検索条件に基づき前記施設データベースを検索して施設データを抽出するための制御手段」という開示、
　上記（ｅ）の「前記検索条件に基づき前記通信機を用いてＷｅｂ検索可能な専用サーバに接続し、施設データの通信検索を行い、前記検索の結果である表示データを受信するための制御手段」という開示、
　引用例１の上記（ウ）の「図１は、本発明にかかるサーバ通信型ナビゲーションシステムの全体構成図である。」という記載から、
　引用例１には、「検索機能を有するサーバ通信型ナビゲーションシステム」が開示されていると認められる。
　
　
　以上の引用例１の記載によれば、引用例１には下記の発明（以下、「引用例１発明」という。）が開示されていると認められる。
　
「あらかじめ施設データが記憶されている施設データベースと、
　ユーザからの所定の検索条件を受け付ける入力手段と、
　前記検索条件に基づき前記施設データベースを検索して施設データを抽出するための制御手段と、
　電話網に接続して情報の送受信を行うための通信機と、
　前記検索条件に基づき前記通信機を用いてＷｅｂ検索可能な専用サーバに接続し、施設データの通信検索を行い、前記検索の結果である表示データを受信するための制御手段と、
　前記入力手段により受け付けた検索条件の検索を行う際、自動的に、制御手段による施設データベースの検索と、制御手段による通信検索とのいずれかを選択する制御手段と、
　前記制御手段の選択に従って、制御手段から施設データ又は表示データを取得することにより、制御手段によって得られた表示データを表示するための表示手段とを、
　有する、検索機能を有するサーバ通信型ナビゲーションシステム。」
　
　
３．対比
　本願発明と引用例１発明とを対比する。
　
　引用例１発明の「施設データベース」、「施設データ」、「検索条件」、「電話網」、「Ｗｅｂ検索可能な専用サーバ」、「検索の結果である表示データ」、「検索機能を有するサーバ通信型ナビゲーションシステム」は、
　それぞれ、本願発明の「データベース」、「関連情報」、「入力情報」、「通信ネットワーク」、「ネット情報検索サイト」、「検索結果情報」、「検索システム」に相当する。
　
　引用例１発明の「あらかじめ施設データが記憶されている施設データベース」は、
　本願発明の「あらかじめ情報が記憶されているデータベース」に相当する。
　
　引用例１発明の「ユーザからの所定の検索条件を受け付ける入力手段」は、
　本願発明の「ユーザからの所定の入力情報を受け付ける入力手段」に相当する。
　
　引用例１発明の「前記検索条件に基づき前記施設データベースを検索して施設データを抽出するための制御手段」と、
　本願発明の「前記入力情報に基づき前記データベースを検索して関連情報を抽出するためのデータベース検索手段」とは、
　「前記入力情報に基づき前記データベースを検索して関連情報を抽出するための」手段である点で共通し、
　本願発明では「データベース検索手段」が関連情報を抽出するための処理を行っているのに対し、引用例１発明では「制御手段」が関連情報を抽出するための処理を行っている点、
　で相違する。
　
　引用例１発明の「電話網に接続して情報の送受信を行うための通信機」は、
　本願発明の「通信ネットワークに接続して情報の送受信を行うための情報送受信手段」に相当する。
　
　引用例１発明の「前記検索条件に基づき前記通信機を用いてＷｅｂ検索可能な専用サーバに接続し、施設データの通信検索を行い、前記検索の結果である表示データを受信するための制御手段」と、
　本願発明の「前記入力情報に基づき前記情報送受信手段を用いてネット情報検索サイトに接続し、関連情報の検索を行い、前記検索の結果である検索結果情報を受信するためのネット情報検索手段」とは、
　「前記入力情報に基づき前記情報送受信手段を用いてネット情報検索サイトに接続し、関連情報の検索を行い、前記検索の結果である検索結果情報を受信するための」手段である点で共通し、
　本願発明では「ネット情報検索手段」が検索結果情報を受信するための処理を行っているのに対し、引用例１発明では「制御手段」が検索結果情報を受信するための処理を行っている点、
　で相違する。
　
　引用例１発明の「前記入力手段により受け付けた検索条件の検索を行う際、自動的に、制御手段による施設データベースの検索と、制御手段による通信検索とのいずれかを選択する制御手段」と、
　本願発明の「前記入力手段により受け付けた入力情報の検索を行う際、前記ユーザの所望により、前記データベース検索手段と、前記ネット情報検索手段とのいずれかを選択する選択手段」とは、
　「前記入力手段により受け付けた入力情報の検索を行う際、前記データベース検索と、前記ネット情報検索とのいずれかを選択する」手段である点で共通し、
・本願発明では、「ユーザの所望」により、データベース検索とネット情報検索とのいずれかを選択しているのに対し、引用例１発明では、自動的に、データベース検索とネット情報検索とのいずれかを選択している点、
・本願発明では、データベース検索を「データベース検索手段」が行い、ネット情報検索を「ネット情報検索手段」が行い、データベース検索とネット情報検索の選択を「選択手段」が行うのに対し、引用例１発明では、データベース検索、ネット情報検索、データベース検索とネット情報検索の選択の全てを「制御手段」が行っている点、
　で相違する。
　
　引用例１発明の「前記制御手段の選択に従って、制御手段から施設データ又は表示データを取得することにより、制御手段によって得られた表示データを表示するための表示手段」と、
　本願発明の「前記選択手段の選択に従って、前記データベース検索手段により得られた前記関連情報又は前記ネット情報検索手段により得られた検索結果情報を表示するための情報表示手段」とは、
　「前記関連情報又は検索結果情報を表示するための情報表示手段」を有する点で共通し、
・本願発明では、「選択手段」の選択に従って表示するのに対し、引用例１発明では、「制御手段」の選択に従って表示する点、
・本願発明では、関連情報は「データベース検索手段」によって得られ、検索結果情報は「ネット情報検索手段」によって得られているのに対し、引用例１発明では、関連情報及び検索結果情報は「制御手段」によって得られている点、
　で相違する。
　
　
　したがって、両者は、
「あらかじめ情報が記憶されているデータベースと、
　ユーザからの所定の入力情報を受け付ける入力手段と、
　前記入力情報に基づき前記データベースを検索して関連情報を抽出するための手段と、
　通信ネットワークに接続して情報の送受信を行うための情報送受信手段と、
　前記入力情報に基づき前記情報送受信手段を用いてネット情報検索サイトに接続し、関連情報の検索を行い、前記検索の結果である検索結果情報を受信するための手段と、
　前記入力手段により受け付けた入力情報の検索を行う際、前記データベース検索と、前記ネット情報検索とのいずれかを選択する手段と、
　前記関連情報又は検索結果情報を表示するための情報表示手段とを、
　有する検索システム。」
　
の点で一致し、
　
（相違点１）
・本願発明では「データベース検索手段」が関連情報を抽出するための処理を行っているのに対し、引用例１発明では「制御手段」が関連情報を抽出するための処理を行っている点、
・本願発明では「ネット情報検索手段」が検索結果情報を受信するための処理を行っているのに対し、引用例１発明では「制御手段」が検索結果情報を受信するための処理を行っている点、
・本願発明では、データベース検索を「データベース検索手段」が行い、ネット情報検索を「ネット情報検索手段」が行い、データベース検索とネット情報検索の選択を「選択手段」が行うのに対し、引用例１発明では、データベース検索、ネット情報検索、データベース検索とネット情報検索の選択の全てを「制御手段」が行っている点、
・本願発明では、「選択手段」の選択に従って表示するのに対し、引用例１発明では、「制御手段」の選択に従って表示する点、
・本願発明では、関連情報は「データベース検索手段」によって得られ、検索結果情報は「ネット情報検索手段」によって得られているのに対し、引用例１発明では、関連情報及び検索結果情報は「制御手段」によって得られている点、
　という５つの点（すなわち、本願発明では、「データベース検索手段」、「ネット情報検索手段」、「選択手段」という３つの手段で分担して処理を行っているのに対し、引用例１発明では、「制御手段」という１つの手段で処理を行っている点）、
　
（相違点２）
　本願発明では、「ユーザの所望」により、データベース検索とネット情報検索とのいずれかを選択しているのに対し、引用例１発明では、自動的に、データベース検索とネット情報検索とのいずれかを選択している点、
　
で相違する。
　
　
４．相違点の判断
　
（１）相違点１について
　一連の処理を１つの手段ではなく、複数の手段に分担させて処理を行うことは、情報処理分野における常套手段である。
　そして、「検索システム」において、一連の処理を３つの「データベース検索手段」、「ネット情報検索手段」、「選択手段」に分担させて処理を行うことに格別の作用効果はないものと認められる。
　したがって、当該常套手段を適用して、引用例１発明の「制御手段」が行っている処理を、「データベース検索手段」、「ネット情報検索手段」、「選択手段」という３つの手段で分担させ、
・「データベース検索手段」が関連情報を抽出するための処理を行い、
・「ネット情報検索手段」が検索結果情報を受信するための処理を行い、
・データベース検索を「データベース検索手段」が行い、ネット情報検索を「ネット情報検索手段」が行い、データベース検索とネット情報検索の選択を「選択手段」が行い、
・「選択手段」の選択に従って表示し、
・関連情報は「データベース検索手段」によって得られる、
　ようにすることは、当業者が容易に想到し得ることである。
　
（２）相違点２について
　引用例１の上記（イ）の記載から、「ＣＤＲＯＭやＤＶＤＲＯＭに格納された施設データのデータベース」を用いると「時間と共に現実の施設の存続や電話番号等の変更があってもデータベースを更新することができず、古いデータで我慢するか新しいＣＤＲＯＭ等を購入する必要があり不経済であった」という問題点を解決するために、（「人件費が嵩む問題」や「通信コストが不経済」となる問題はあるものの）「ナビゲーションシステムを無線通信によるクライアント・サーバ方式とし、必要なデータベースをサーバ側で管理することが考えられる」ことが開示されている。
　すなわち、当該開示から、より新しいデータを優先的に得る場合には、「ＣＤＲＯＭやＤＶＤＲＯＭに格納された施設データのデータベース」ではなく、「サーバ側で管理」されたデータベースを検索した方が好ましいことが把握できる。
（実際、ＣＤＲＯＭやＤＶＤＲＯＭに格納されたデータベースを優先して検索するだけでなく、サーバ側で管理されたデータベースを優先して検索することは周知技術（例えば、特開２００１−１４７９２５号公報（特に、段落【００３０】、【００３３】、及び【００４４】を参照）となっている。）
　
　一方、検索手段を手動で選択することは、情報処理分野における常套手段（例えば、特開２００１−１４７９２５号公報（特に、段落【００３３】を参照）である。
　
　したがって、引用例１発明において、上記周知技術、常套手段を採用し、より新しいデータを優先的に得られる検索方法も採用できるように、「ユーザの所望」により「データベース検索」と「ネット情報検索」とのいずれかを選択できるように構成することは、当業者が容易に想到し得ることである。
　
　
 ５．むすび 
　したがって、本願発明は、引用例１記載の発明に基づいて、当業者が容易に発明をすることができたものであり、特許法２９条２項の規定により特許を受けることができないから、他の請求項について検討するまでもなく、本願は拒絶されるべきものである。 
 よって、結論のとおり審決する。